(57)【要約】【課題】  柱が引き抜かれる際のコーナー金物の回転を阻止して引き抜きに対する耐力を向上させる。また、柱など構造材の複数の側面に同じ構成の建築金物を取り付けても、取付けのための固定具どうしが構造材の内部で衝突しないようにする。【解決手段】  直交する第１取付け面部４と第２取付け面部５を有し、第１取付け面部及び第２取付け面部に固定具挿通孔６を形成した本体１５と第２取付け面部５の裏面に重合する専用スペーサー１６とで構成する。専用スペーサー１６は厚みを有するものとする。厚み寸法は、第１取付け面部４に形成した固定具挿通孔６の直径以上で、上下に位置する固定具挿通孔６間の距離以下とすることが一つの例である。【選択図】          図９
2006132120.tif 000002
【特許請求の範囲】
【請求項１】
木造住宅において直交する構造材の接合個所を補強する金物であって、互いに直交する方向に延びる第１取付け面部と第２取付け面部とを有し、第１取付け面部及び第２取付け面部にそれぞれ複数の固定具挿通孔を形成した本体と、本体と別体で第２取付け面部の裏面に重合し、第２取付け面部と第１取り付け面部の角部をかさ上げする専用スペーサーとからなることを特徴とした建築金物。
【請求項２】
専用スペーサーの厚みを、前記第１取付け面部に形成した固定具挿通孔の直径以上で、該固定具挿通孔間の第２取付け面部と直交する方向における距離以下の寸法としたことを特徴とする請求項１に記載の建築金物。
【請求項３】
専用スペーサーの第１取付け面部と直交する方向における長さを、第２取付け面部の長さと等しいかこれよりも大としたことを特徴とする請求項１または２に記載の建築金物。
【請求項４】
専用スペーサーが、第２取付け面部の固定具挿通孔と対応した貫通孔を有する座金であることを特徴とした請求項１〜３のいずれか１つに記載の建築金物。
【発明の詳細な説明】
【技術分野】
【０００１】
本発明は、木造住宅の土台と柱、柱と梁のように、直角に交差する構造材の接合個所入隅に取り付けて、構造材どうしの接合を補強する建築金物に関する。
【背景技術】
【０００２】
木造住宅において、土台と柱、柱と梁のように、互いに直交する２つの構造材どうしを接合する建築金物として、例えば、図１のような金属板をＬ字形に屈曲したコーナー金物１が公知である（特許文献１参照）。符合２は柱、符合３は土台である。コーナー金物１は、柱２に固定する第１取付け面部４と土台の上面に固定する第２取付け面部５とを一体に備え、第１取付け面部４及び第２取付け面部５に複数の固定具挿通孔６を穿設してある。符合７はビスなどの固定具である。
【０００３】
このような補強構造の場合、図２のように、強い地震などで柱２が上方へ引き抜かれるように変位すると、コーナー金物１は引き延ばされてしまい、結果として柱２が土台３から外れてしまい、家屋が倒壊する。基本的にＬ字形をなすコーナー金物は、第１取付け面部４と第２取付け面部５の間に三角形のリブを配置するなどしてもこの傾向が強い。
【０００４】
この点、図３に例示するホールダウン金物８は、柱側に固定した係合金物９と基礎コンクリート１０に固定したアンカーボルト１１をナット１２で強力に緊結する構造で、かなりの引き抜き力に対抗することができる。これは、係合金物９やアンカーボルト１１に素材的にも頑丈なものが使用されていることもあるが、係合金物９の下縁１３がこの係合金物９が取り付けらている柱の側面に当接していることにもよる。すなわち、図４のように、柱２に上方への引き抜き力が作用すると、係合金物９がアンカーボルト１１との係合点を中心として柱２側へ回動する傾向となるが、前記係合金物９の下縁１３が柱側面に衝突してこの回動傾向を阻止する。仮に、柱２の材質が非常に柔らかい場合には、係合金物９の下縁１３は、柱２にめり込み柱２は簡単に引き抜かれてしまう。
【０００５】
一方、前記Ｌ字形のコーナー金物１を図５（イ）のようなボックス形にして（コーナー金物１４とする）、コーナー金物１４自体を頑丈な変形しにくい剛構造にすると、通常の状態における柱２と土台３の結合状態は強化されるが、図６,７に示すような現象が生じる。すなわち、図５（ロ）のように、柱２と土台３がコーナー金物１４によって補強され、結合されている状態から、図６のように、柱２が上方に引き抜かれる移動が生じると、まず、第１取付け面部４を取付けている固定具７（ビス）の変形などにより、柱２が土台３から持ち上がる。このとき、コーナー金物１４の第２取付け面部５が固定具７により土台３に固定されている力は強いので、コーナー金物１４は第２取付け面部５を土台３の上面に接したままその位置に残る。このため、コーナー金物１４の第１取付け面部４と第２取付け面部５の角部Ｐは、柱２の側面から外れてしまい、コーナー金物１４が回転する際の抵抗部を失った状態となる。そして、柱２の上方への移動が大きくなると、図７のように、コーナー金物１４が剛性であるために全体として第２取付け面部５の先端付近を中心に回転を始め、前記の角部Ｐは、引き抜きにより生じてくる柱２と土台３間の隙間にもぐりこむような移動をして、もはやコーナー金物１４の回転を止めることができなくなる。結局、柱２が土台３から引き抜かれてしまう。
【０００６】
また、例えば、柱２と土台３の接合個所において、柱２の２つの側面に前記のような、コーナー金物１を使用するとき、第１取付け面部４から柱２に打ち込んだビスなどの固定具７が柱の内部で衝突することがある。これは２つの側面で同じコーナー金物１を利用しようとすると、固定具７の上下位置が同じになって、直交して固定具が打ち込まれる場合には必ず生じる。また、平行な側面から対向して固定具７が打ち込まれる場合でも、水平方向に固定具７の位置をずらす必要が生じる。固定具７を短くすれば解決できることもあるが、強度が不足することになる。
このため、少なくとも、固定具挿通孔の高さが異なる２種類の建築金物を準備しなければならず、コスト高となり、２種類の建築金物を使い分ける手間も煩雑である。
【０００７】
【特許文献１】特開２００１−１０７４５７号公報
【発明の開示】
【発明が解決しようとする課題】
【０００８】
本発明が解決しようとする課題は、木造住宅における構造材どうしの接合個所を建築用補強金物を用いて補強する際に、特に建築金物が剛構造であっても、柱の引き抜きに対する耐力が高く、また、同じ建築金物を一方の構造材の２面（直交する２面あるいは平行な２面）に使用しても、固定のために使用する固定具どうしが柱の内部で衝突するのを防止できる建築金物の提供を課題とする。
【課題を解決するための手段】
【０００９】
本発明の建築金物は、本体と、これとは別体の専用スペーサーとから成る。
本体は、互いに直交する方向に延びる第１取付け面部と第２取付け面部とを一体に有する。
第１取付け面部及び第２取付け面部にそれぞれ複数の固定具挿通孔を形成してある。
専用スペーサーは、第２取付け面部の裏面に重合して用いるものであり、専用スペーサーは厚みを有しており、その厚さにより、第２取付け面部と第１取り付け面部の角部Ｐをかさ上げするものとする。厚みの寸法は、地震などで柱に作用する引き抜きに対してどの程度まで対抗できるようにするかで設定される。
【００１０】
一方、専用スペーサーの厚みは、第１取付け面部に形成した固定具挿通孔の直径以上で、これら固定具挿通孔間の第２取付け面部と直交する方向における距離以下の寸法とする。
専用スペーサーの機能を安定なものとするため、このスペーサ−の第１取付け面部と直交する方向における長さは、第２取付け面部の長さと等しいかこれよりも大とするのが望ましい。
【００１１】
なお、専用スペーサーの素材は金属の他、合成樹脂であっても良い。ただし、合成樹脂の場合は木材よりも硬いものとする。専用スペーサーには、第２取付け面部の固定具挿通孔と対応した位置に貫通孔を有するものとしても良いし、素材としてビスなどを直接ねじ込むことができるものであれば単なる板体であっても良い。
専用スペーサーとしては、固定具挿通孔を設けた座金タイプが好ましい。
【００１２】
木造住宅において、２つの構造材を直交させ、接合部の入隅に建築金物の本体をあてがって、第１取付け面部を一方の構造材の側面に当接すると共に、第２取付け面部を他方の構造材の側面に当接し、第１取付け面部及び第２取付け面部の固定具挿通孔を通して、構造材に固定具を打ち込むことにより、二つの構造材を結合する。
一方の構造材に関して、二つの入隅に建築金物を取り付ける場合は、一方の本体に専用スペーサーを用いることとし、その第２取付け面部の裏面に専用スペーサーを重合する。すると、この本体の第１取付け面部に形成した固定具挿通孔と、他の金物本体の第１取付け面部に形成した固定具挿通孔とは、基端と直交する方向において、専用スペーサーの厚みだけ位置がずれるので、異なる側面から一方の構造材内へ進入させた固定具どうしが構造材の内部でぶつかることなく、建築金物を固定することができる。
【発明の効果】
【００１３】
専用スペーサーにより、建築金物における第１取付け面部と第２取付け面部の角部Ｐがかさ上げされると、柱に引き抜き力が作用したとき、柱の下縁がその位置に達するまで、建築金物の回転を阻止することができ、地震時に柱が土台から引き抜かれる作用に対する耐力が高くなる。なお、柱と土台を例にしているが、柱と梁の接合個所においても同様である。特に補強に用いる建築金物自体が変形しにくい剛性のものであるときに有効である。
また、本発明によれば、構造材の異なる２側面にそれぞれ建築金物を取り付ける場合であっても、専用スペーサーを用いることで、同じ建築金物を用いることができる。このため固定具挿通孔の位置が異なる２種類の建築金物を用意する必要がない。
【発明を実施するための最良の形態】
【００１４】
以下、本発明の実施例を図面に基づいて詳細に説明する。
図８は第１の実施例を示し、この建築金物１（コーナー金物）は、本体１５と、これとは別体の専用スペーサー１６とからなる。
本体１５は、１枚の強靱な金属帯板をプレス成形して、互いに直交する方向に延びる第１取付け面部４と第２取付け面部５及びこれらを両側で接続した側壁１７，１７とを一体に設けてある。第２取付け面部５は、両側の側壁１７を折り曲げて形成され二重構造となっている。この構造はいわゆるボックス形と言われるもので外力によって変形しにくい剛構造の建築金物１である。第１取付け面部４と第２取付け面部５には所定数の固定具挿通孔６を形成してある。
【００１５】
専用スペーサー１６は、この実施例において、平板な四角形の金属板より成り、第２取付け面部５とほぼ同幅であるとともに、第１取付け面部４と直交する方向における長さは第２取付け面部５よりやや長く形成してある。
専用スペーサー１６には、第２取付け面部５の固定具挿通孔６と対応した位置に、これと同形の貫通孔１８を設けてある。
専用スペーサー１６は厚さを有する。その厚さによって、第１取付け面部４と第２取付け面部５の角部Ｐをかさ上げするためである。具体的には取付けのための固定具７が柱中で衝突するのを避ける目的（後述）もあって、前記の厚さを第１取付け面部４に形成した固定具挿通孔６の直径以上であって、且つ、固定具挿通孔６間の第２取付け面部５と直交する方向における距離以下の寸法としてある。
【００１６】
図９は、この建築金物１を柱２と土台３の接合個所に使用した例であり、本体１５の第２取付け面部５と土台３の上面との間に前記の専用スペーサー１６を利用して柱２と土台３に固定具７（ビス）で固定されている。
この構造であると、柱２に引き抜き力が作用して柱２が多少持ち上がっても（図６参照）、建築金物１の角部Ｐは、柱２の下縁がこの位置に達するまで柱２の側面から外れることがない。したがって、この間、建築金物１の本体１５が回転を始めることがなく、柱２に対する引き抜き力に対して強力に対抗することができる。また、専用スペーサー１６によって、第２取付け面部５の先端が土台３にめり込むことも防止できる。
この建築金物１を用いた接合個所の補強構造を採用することで耐震性の高い住宅を構築できる。
【００１７】
図１０は第２の実施例であり、建築金物１の構造が異なる。本体１５と専用スペーサー１６を備える。本体１５は、一枚の金属板体をＬ字形に屈曲して第１取付け面部４と第２取付け面部５を形成し、これらの連結部を跨いで連続するように、表面側（内角側）へ隆起した補強リブ１９を形成してある。
なお、図に示す例では、第１取付け面部４と第２取付け面部５との連結部を湾曲してあるが、直角に折り曲げて前記の角部Ｐとしても良い。
【００１８】
第１取付け面部４には、先端部の両側と、中間部の補強リブ１９を挟んだ両側にそれぞれ固定具挿通孔６を穿設してある。第２取付け面部５にも、先端部の両側と、中間部の補強リブ１９を挟んだ両側にそれぞれ固定具挿通孔６を穿設してある。
専用スペーサー１６は、この実施例において、平板な四角形の金属板より成り、第２取付け面部５とほぼ同幅、同長であり、第２取付け面部５の固定具挿通孔６と対応した位置に、貫通孔１８を有している。
また、専用スペーサー１６の厚さは、第１取付け面部４に形成した固定具挿通孔６の直径以上であって、且つ、これら固定具挿通孔６間の第２取付け面部５と直交する方向における距離以下の寸法としてある。
【００１９】
図１１及び図１２は、直交するよう突き合わせた土台３，３’と、その交差部に起立した隅柱２との接合個所を二つの建築金物１，１を用いて補強した使用例を示す。土台３，３’は、アンカーボルト１１によって基礎コンクリート１０に固定されている。
一方の土台３と隅柱２との接合部入隅に建築金物の本体１５を配置し、第１取付け面部４を隅柱２の側面に当接すると共に、第２取付け面部５を土台３の上面に重ね、第１取付け面部４に形成した固定具挿通孔６を通して隅柱２へビス等の固定具７をねじ込み、第２取付け面部５の固定具挿通孔６を通して土台３へ固定具７をねじ込んで、隅柱２と土台３とを接合してある。
【００２０】
他方の土台３’の上面に、隅柱２の側面へ接するように専用スペーサー１６を載置し、専用スペーサー１６の上に別の建築金物１における本体１５の第２取付け面部５を重合する。専用スペーサー１６の貫通孔１８と第２取付け面部５の固定具挿通孔６とを一致させ、固定具挿通孔６及び貫通孔１８を通して土台３’へ固定具７をねじ込む。第１取付け面部４は隅柱２の他の側面へ直接にあてがって固定具７で隅柱２に取付ける。
他方の建築金物における本体１５は、第２取付け面部５の裏面に専用スペーサー１６を重合してあるので、第１取付け面部４の高さが、前記一方の土台３上に設置した本体１５の第１取付け面部４よりも専用スペーサー１６の厚み分高くなる。即ち、この本体１５の第１取付け面部４に形成した固定具挿通孔６は、土台３上に設置した本体１５の固定具挿通孔６よりも、専用スペーサー１６の厚み分高い位置に配置される。
【００２１】
専用スペーサー１６の厚みは固定具挿通孔６の直径以上で、上下に位置する固定具挿通孔６間の距離以下なので、土台３’上に配置した本体１５と土台３上に配置した本体１５とでは、固定具挿通孔６が上下方向に完全にずれて位置する。
従って、一方の本体１５の固定具挿通孔６を通して隅柱２へ固定具７をねじ込んでも、これに交差するよう隅柱２へねじ込んだ他方の固定具７とぶつかることはない。
なお、本体１５の第２取付け面部５を専用スペーサー１６の上に載置すると、前記のように、本体１５の変形による第２取付け面部５端部のめりこみを防ぐことができて有用である。
【００２２】
図１３は、中柱２の両側に実施例２の建築金物１を利用したもので、一方の金物は本体１５だけとし、他方の金物を専用スペーサー１６を有する建築金物１としている。
専用スペーサー１６を用いることによって、対向した平行な面から打ち込まれるビスなどの固定具７が中柱２の内部で衝突するのを防止することができる。なお、固定具７が対抗した平行な面から打ち込まれる場合は、金物の位置を水平方向でずらすことによっても中柱２の内部で固定具７どうしが衝突するのを防止することができる。
使用例としては、さらに、柱と梁、或いは直交する梁どうしを接合するのにも用いることができる。
【００２３】
図１４，１５は、第３の実施例であり、建築金物１の本体１５がボックス形で筋かい固定金具を兼ねている場合である。この場合、ボックス形の柱側取付け面が第１取付け面部４であり、土台への取付け面が第２の取付け面部５である。また、専用スペーサー１６は硬質の合成樹脂（塩化ビニルなど）で工具を用いればビスを通すことができる。このため、この場合の専用スペーサー１６には、前記第２取付け面部５に形成した固定具挿通孔６と対応した貫通孔１８は形成されていない。なお、図のような構造で筋かい２０を固定する場合、両側の筋かい固定金具の位置を水平方向で調整できないのが普通である。
【００２４】
このため、この建築金物を図１５のように中柱２とその両側の土台３及び筋かい２０と共に固定するときは、一方の建築金物の本体１５に専用スペーサー１６を用いる。これにより、中柱２の内部で両側から打ち込まれたビスなどが衝突しないようにすることができる。したがって、中柱２の左右で同じ建築金物を利用することができる。また、専用スペーサー１６に貫通孔１８が形成されていないから、この専用スペーサー１６は、同じ形ではあるが固定具挿通孔６の位置が異なるものに共通で使用できる利点がある。
【００２５】
以上実施例を説明したが、本件発明は、垂直片と水平片を主体としたいわゆるコーナー金物ばかりでなく、互いに直交する方向に延びる第１取付け面部と第２取付け面部とを有する建築金物一般に適用できるものである。
【図面の簡単な説明】
【００２６】
【図１】従来例１を説明するための側面図
【図２】図１において引き抜き力が作用したときの側面図
【図３】従来例２を説明するための側面図
【図４】図３において引き抜き力が作用したときの側面図
【図５】（イ）建築金物における本体の斜視図、（ロ）接合個所に上記本体を使用した側面図
【図６】図５（ロ）において引き抜き力が作用した状態の側面図
【図７】図６において、さらに大きな引き抜き力が作用した状態の側面図
【図８】第１の実施例を示す斜視図
【図９】第１の実施例を使用した状態の側面図
【図１０】第２の実施例を示す斜視図
【図１１】第２の実施例を使用した状態の斜視図
【図１２】第２の実施例を使用した状態の側面図
【図１３】第２の実施例を使用した他の状態の側面図
【図１４】第３の実施例を示す斜視図
【図１５】第３の実施例を使用した状態を示す側面図
【符号の説明】
【００２７】
１  コーナー金物
２  柱
３  土台
４  第１取付け面部
５  第２取付け面部
６  固定具挿通孔
７  固定具（ビス）
８  ホールダウン金物
９  係合金物
１０  基礎コンクリート
１１  アンカーボルト
１２  ナット
１３  下縁
１４  コーナー金物
１５  本体
１６  専用スペーサー
１７  側壁
１８  貫通孔
１９  補強リブ
２０  筋かい
【図１】
2006132120.tif 000003
【図２】
2006132120.tif 000004
【図３】
2006132120.tif 000005
【図４】
2006132120.tif 000006
【図５】
2006132120.tif 000007
【図６】
2006132120.tif 000008
【図７】
2006132120.tif 000009
【図８】
2006132120.tif 000010
【図９】
2006132120.tif 000011
【図１０】
2006132120.tif 000012
【図１１】
2006132120.tif 000013
【図１２】
2006132120.tif 000014
【図１３】
2006132120.tif 000015
【図１４】
2006132120.tif 000016
【図１５】
2006132120.tif 000017